【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
相互接続ノードにおける状態変化を処理する方法であって、当該相互接続ノードはデータプレーンを有し、当該相互接続ノードにおいて当該データプレーンはサービスごとにパッシブ状態かまたはアクティブ状態をとり、当該方法は前記相互接続ノードにおいて実行され、
他のノードから、変化が生じたかまたは生じようとしていることを示す第１インジケーションを受信する受信ステップと、
前記受信ステップに応答して前記データプレーンを前記アクティブ状態から前記パッシブ状態へとパッシブ化するパッシブ化ステップと、
前記パッシブ化ステップが完了したことに応答して、前記他のノードへ、前記データプレーンが前記パッシブ状態にあることを示す第２インジケーションを送信する送信ステップと
を有することを特徴とする方法。
【請求項２】
相互接続ノードにおける状態変化を処理する方法であって、当該相互接続ノードはデータプレーンを有し、当該相互接続ノードにおいて当該データプレーンはサービスごとにパッシブ状態かまたはアクティブ状態をとり、当該方法は前記相互接続ノードにおいて実行され、
他のノードへ、変化が生じたかまたは生じようとしていることを示す第１インジケーションを送信する送信ステップと、
前記他のノードから、前記他のノードにおいて前記データプレーンが前記パッシブ状態に設定されたことを示す第２インジケーションを受信することを待ち受けるステップと、
前記第２インジケーションを受信したことに応答して、前記相互接続ノードの前記データプレーンを前記パッシブ状態から前記アクティブ状態へとアクティブ化するアクティブ化ステップと
を有することを特徴とする方法。
【請求項３】
前記相互接続ノードはＤＲＮＩ（分散型弾力的ネットワーク相互接続）ノードであることを特徴とする請求項１または２に記載の方法。
【請求項４】
前記変化は、
前記相互接続ノードのノード故障からの復旧と、
ネットワークのトポロジー変化と、
ネットワークの設定の変化と
のうちのいずれか１つであることを特徴とする請求項１ないし３のいずれか１項に記載の方法。
【請求項５】
前記相互接続ノード内に、相互接続ノード故障管理ステートマシーンを有し、当該相互接続ノード故障管理ステートマシーンは、前記相互接続ノードの故障復旧アクティブ（ＷＴＲ−Ａ）ステートを含むことを特徴とする請求項４に記載の方法。
【請求項６】
前記故障復旧アクティブ（ＷＴＲ−Ａ）ステートは、
前記データプレーンの前記パッシブ状態へのパッシブ化を許可することと、
前記データプレーンの前記アクティブ状態へのアクティブ化を許可しないことと
のうち少なくとも１つを含むことを特徴とする請求項５に記載の方法。
【請求項７】
前記相互接続ノードにおいて前記アクティブ状態にプリセットされるアクティブサービスのセットと、
前記相互接続ノードにおいて前記パッシブ状態にプリセットされるパッシブサービスのセットと
をさらに有することを特徴とする請求項１ないし６のいずれか１項に記載の方法。
【請求項８】
前記相互接続ノードが前記ＷＴＲ−Ａステートに遷移するかまたは前記ＷＴＲ−Ａステートから遷移することを信号伝達するためのＷＴＲ−Ａ信号をさらに有することを特徴とする請求項５ないし７のいずれか１項に記載の方法。
【請求項９】
信号故障（ＳＦ）信号が存在する場合に前記ＷＴＲ−Ａ信号を設定する設定ステップをさらに有することを特徴とする請求項８に記載の方法。
【請求項１０】
前記相互接続ノードに関連付けられているトンネルおよびリンクの１つがダウンしたことを検出したことに応答して前記設定ステップが実行されることを特徴とする請求項９に記載の方法。
【請求項１１】
前記データプレーンが、両方のサービスのセットについてアクティブ化されることを特徴とする請求項７に記載の方法。
【請求項１２】
前記相互接続ノードにおいて前記データプレーンの前記パッシブ状態へのパッシブ化が完了すると、前記ＷＴＲ−Ａ信号を無効化することを特徴とする請求項８ないし１１のいずれか１項に記載の方法。
【請求項１３】
前記データプレーンが前記アクティブサービスのセットについてだけアクティブ化されることを特徴とする請求項７に記載の方法。
【請求項１４】
信号故障（ＳＦ）信号の無効化の後で前記ＷＴＲ−Ａ信号を無効化することを特徴とする請求項１２または１３に記載の方法。
【請求項１５】
前記信号故障（ＳＦ）信号の無効化は、前記相互接続ノードに関連付けられているトンネルおよびリンクの１つが利用可能となったことを検知したことに応答して、実行されることを特徴とする請求項１４に記載の方法。
【請求項１６】
前記データプレーンは、前記パッシブサービスのセットについてだけパッシブ化されることを特徴とする請求項７に記載の方法。
【請求項１７】
各サービスは、仮想ローカルエリアネットワーク（ＶＬＡＮ）およびサービスインタフェース識別情報（Ｉ−ＳＩＤ）のうちの１つによって記述されていることを特徴とする請求項７、１１、１３および１６のいずれか１項に記載の方法。
【請求項１８】
前記ＷＴＲ−Ａ信号は周期的に受信される物理データユニット（ＰＤＵ）により信号伝達されることを特徴とする請求項８ないし１７のいずれか１項に記載の方法。
【請求項１９】
前記物理データユニット（ＰＤＵ）は前記相互接続ノードにおいて受信された少なくとも１つの導通チェックメッセージ（ＣＣＭ）フレームに関連付けられていることを特徴とする請求項１８に記載の方法。
【請求項２０】
前記導通チェックメッセージ（ＣＣＭ）フレームの１つ以上における前記ＷＴＲ−Ａ信号についてのフラグは、共通接続性故障管理（ＣＦＭ）ヘッダにおけるフラグフィールドの最上位から２番目のビットであることを特徴とする請求項１９に記載の方法。
【請求項２１】
前記物理データユニット（ＰＤＵ）はシャーシ間通信プロトコル（ＩＣＣＰ）およびリンクアグリゲーション制御プロトコルの一つに関連付けられていることを特徴とする請求項１８に記載の方法。
【請求項２２】
前記物理データユニット（ＰＤＵ）は前記相互接続ノードの外部インタフェースリンクについての受信したステータスに関連付けられていることを特徴とする請求項１８に記載の方法。
【請求項２３】
１つ以上のコンピュータによって実行され、請求項１ないし２２のいずれか１項に記載の方法を実行するプログラムコード部を有することを特徴とするコンピュータプログラム。
【請求項２４】
前記コンピュータプログラムはコンピュータ可読記録媒体に記憶されていることを特徴とする請求項２３に記載のコンピュータプログラム。
【請求項２５】
相互接続ノードにおける状態変化を処理する装置であって、当該相互接続ノードはデータプレーンを有し、当該相互接続ノードにおいて当該データプレーンはサービスごとにパッシブ状態かまたはアクティブ状態をとり、当該装置は少なくとも１つのプロセッサを有し、
前記プロセッサは、
他のノードから、変化が生じたかまたは生じようとしていることを示す第１インジケーションを受信し、
前記受信の動作に応答して前記データプレーンを前記アクティブ状態から前記パッシブ状態へとパッシブ化し、
前記パッシブ化の動作が完了したことに応答して、前記他のノードへ、前記データプレーンが前記パッシブ状態にあることを示す第２インジケーションを送信する
ように構成されていることを特徴とする装置。
【請求項２６】
相互接続ノードにおける状態変化を処理する装置であって、当該相互接続ノードはデータプレーンを有し、当該相互接続ノードにおいて当該データプレーンはサービスごとにパッシブ状態かまたはアクティブ状態をとり、当該装置は少なくとも１つのプロセッサを有し、
前記プロセッサは、
他のノードへ、変化が生じたかまたは生じようとしていることを示す第１インジケーションを送信し、
前記他のノードから、前記他のノードにおいて前記データプレーンが前記パッシブ状態に設定されたことを示す第２インジケーションを受信することを待ち受け、
前記第２インジケーションを受信したことに応答して、前記相互接続ノードの前記データプレーンを前記パッシブ状態から前記アクティブ状態へとアクティブ化する
ように構成されていることを特徴とする装置。
【請求項２７】
前記相互接続ノードは、プロバイダー・エッジ・ブリッジ、プロバイダー・バックボーン・エッジ・ブリッジ、仮想プライベート・ローカルエリアネットワーク・サービス・プロバイダー・エッジ（ＶＰＬＳ  ＰＥ）ノードのうちのいずれか１つであることを特徴とする請求項２５または２６に記載の装置。